(57)【要約】  １つの例において、システムおよび方法は、送信パラメータの第１のセットで、送信機から第１のタイプの情報を送信することと、ここにおいて、送信パラメータの第１のセットは、第１のＰＨＹデータレートおよび第１の送信電力を含み、送信パラメータの第２のセットで、第２のタイプの情報を送信することと、ここにおいて、送信パラメータの第２のセットは、第２のＰＨＹデータレートおよび第２の送信電力を含み、および、送信されるであろう情報のタイプの関数として、送信パラメータの第１のセットおよび送信パラメータの第２のセット間で、スイッチングすることとを含む。第１のＰＨＹデータレートおよび第１の送信電力のうちの１つ以上は、第２のＰＨＹデータレートおよび第２の送信電力と、それぞれ異なる。【選択図】図９
2018515020.tif 000002
【特許請求の範囲】
【請求項１】
ワイヤレスネットワークにおける方法であって、
送信パラメータの第１のセットで、送信機から第１のタイプの情報を送信することと、ここにおいて、前記送信パラメータの第１のセットは、第１のＰＨＹデータレートおよび第１の送信電力を含み、
送信パラメータの第２のセットで、前記送信機から第２のタイプの情報を送信することと、ここにおいて、前記送信パラメータの第２のセットは、第２のＰＨＹデータレートおよび第２の送信電力を含み、
送信されるであろう情報のタイプの関数として、前記送信パラメータの第１のセットおよび前記送信パラメータの第２のセット間で、スイッチングすることとを備え、
ここにおいて、前記第１のＰＨＹデータレートおよび前記第１の送信電力のうちの１つ以上は、前記第２のＰＨＹデータレートおよび前記第２の送信電力と、それぞれ異なる、方法。
【請求項２】
前記第１のＰＨＹデータレートは、前記第２のＰＨＹデータレートよりも低速である、請求項１に記載の方法。
【請求項３】
前記第１の送信電力は、前記第２の送信電力よりも大きい、請求項１に記載の方法。
【請求項４】
前記第１のタイプの情報は、データフレーム、制御フレーム、および管理フレームのうちの１つ以上を含む、請求項１に記載の方法。
【請求項５】
前記送信機は、８０２．１１標準規格と整合する複数のＰＨＹデータレートで送信することができ、ここにおいて、前記第１のＰＨＹデータレートは、前記複数のＰＨＹデータレートの最低速ＰＨＹデータレートである、請求項４に記載の方法。
【請求項６】
前記送信機は、８０２．１１標準規格と整合する複数の送信電力で送信することができ、ここにおいて、前記第１の送信電力は、前記複数の送信電力の最大送信電力である、請求項４に記載の方法。
【請求項７】
第１のタイプの情報を送信することは、
データを先導部分および追従部分に区分することと、
前記第１のタイプの情報として、前記データの前記先導部分を送信することとを含み、
ここにおいて、前記第２のタイプの情報を送信することは、前記第２のタイプの情報として、前記データの前記追従部分を送信することを含む、請求項４に記載の方法。
【請求項８】
前記送信機は、８０２．１１標準規格と整合する複数の送信電力で送信することができ、ここにおいて、前記第１の送信電力は、前記複数の送信電力のうちの、前記第２の送信電力より大きな送信電力にある、請求項７に記載の方法。
【請求項９】
前記送信機は、８０２．１１標準規格と整合する複数のＰＨＹデータレートで送信することができ、ここにおいて、前記第１のＰＨＹデータレートは、前記複数のＰＨＹデータレートのうちの、前記第２のＰＨＹデータレートより低いＰＨＹデータレートにある、請求項７に記載の方法。
【請求項１０】
データを先導部分および追従部分に区分することは、前記先導部分の送信のオーバーヘッドを低減するために、前記データを区分することを含む、請求項９に記載の方法。
【請求項１１】
前記送信機は、８０２．１１標準規格と整合する複数の送信電力で送信することができ、ここにおいて、前記第１の送信電力は、前記複数の送信電力のうちの、前記第２の送信電力より大きな送信電力にある、請求項１に記載の方法。
【請求項１２】
前記送信機は、８０２．１１標準規格と整合する複数のＰＨＹデータレートで送信することができ、ここにおいて、前記第１のＰＨＹデータレートは、前記複数のＰＨＹデータレートのうちの、前記第２のＰＨＹデータレートより低いＰＨＹデータレートにある、請求項１に記載の方法。
【請求項１３】
前記第１の送信を送信することは、
送信されるであろうデータが複数のフラグメントを含むことを示すために使用されるパラメータを有するフレーム制御フィールドを検査することと、
前記パラメータが、転送されるであろう前記データが複数のフラグメントを含むことを示す場合、
前記複数のフラグメントから第１のフラグメントを選択することと、
前記第１のＰＨＹデータレートおよび前記第１の送信電力で、前記第１のフラグメントを送信することととを含み、
ここにおいて、前記送信機から前記第２の送信を送信することは、前記第２のＰＨＹデータレートおよび前記第２の送信電力で、前記第２のフラグメントを送信することを含む、請求項１に記載の方法。
【請求項１４】
前記第２のＰＨＹデータレートは、前記第１のＰＨＹデータレートよりも高速である、請求項１３に記載の方法。
【請求項１５】
前記第１のフラグメントの前記セグメント長は、前記第２のフラグメントの前記セグメント長よりも短い、請求項１４に記載の方法。
【請求項１６】
前記第１のフラグメントに対する前記送信電力は、前記第２のフラグメントに対する前記送信電力よりも大きい、請求項１５に記載の方法。
【請求項１７】
ワイヤレス局であって、
受信機と、
送信機と、
メモリと、
前記メモリ、前記受信機および前記送信機に接続されたプロセッサとを備え、
ここにおいて、前記プロセッサは、
前記メモリから検索されたデータを、第１および第２のデータフレームを含んでいる２つ以上のデータフレームに区分し、
第１のＰＨＹデータレートおよび第１の送信電力で、前記送信機から前記第１のデータフレームを送信し、
第２のＰＨＹデータレートおよび第２の送信電力で、前記送信機から前記第２のデータフレームを送信するように動作し、
ここにおいて、前記第１のＰＨＹデータレートおよび前記第１の送信電力のうちの１つ以上は、前記第２のＰＨＹデータレートおよび前記第２の送信電力と、それぞれ異なる、ワイヤレス局。
【請求項１８】
前記第１のＰＨＹデータレートおよび前記第２のＰＨＹデータレートは、８０２．１１標準規格と整合するデータレートであり、ここにおいて、前記第１のＰＨＹデータレートは、前記第２のＰＨＹデータレートよりも低い、請求項１７に記載のワイヤレス局。
【請求項１９】
前記第１の送信電力および前記第２の送信電力は、８０２．１１標準規格に整合する送信電力であり、ここにおいて、前記第１の送信電力は、前記第２の送信電力よりも大きい、請求項１７に記載のワイヤレス局。
【請求項２０】
前記第１のデータフレームのセグメント長は、前記第２のデータフレームのセグメント長よりも短い、請求項１７に記載のワイヤレス局。
【請求項２１】
前記プロセッサは、前記第１のＰＨＹデータレートおよび前記第１の送信電力で、制御フレームおよび管理フレームのうちの１つ以上を送信するようにさらに動作する、請求項１７に記載のワイヤレス局。
【請求項２２】
ワイヤレスネットワークであって、
１つ以上の第１のワイヤレス局と、ここにおいて、各第１のワイヤレス局は、受信機および送信機を含み、
第２のワイヤレス局と、ここにおいて、前記第２のワイヤレス局は、受信機、送信機、メモリ、および、前記メモリ、前記受信機、前記送信機に接続されたプロセッサを含み、を備え、ここにおいて、前記プロセッサは、
前記メモリから検索されたデータを、第１および第２のデータフレームを含んでいる２つ以上のデータフレームに区分し、
第１のＰＨＹデータレートおよび第１の送信電力で、前記送信機から前記第１のデータフレームを送信し、
第２のＰＨＹデータレートおよび第２の送信電力で、前記送信機から前記第２のデータフレームを送信するように動作し、
ここにおいて、前記第１のＰＨＹデータレートおよび前記第１の送信電力のうちの１つ以上は、前記第２のＰＨＹデータレートおよび前記第２の送信電力と、それぞれ異なる、ワイヤレスネットワーク。
【請求項２３】
前記第１の送信電力および前記第２の送信電力は、８０２．１１標準規格に整合し、ここにおいて、前記第１の送信電力は、前記第２の送信電力よりも大きい、請求項２２に記載のワイヤレスネットワーク。
【請求項２４】
前記第１のＰＨＹデータレートおよび前記第２のＰＨＹデータレートは、８０２．１１標準規格に整合するＰＨＹデータレートであり、ここにおいて、前記第１のＰＨＹデータレートは、前記第２のＰＨＹデータレートよりも低い、請求項２２に記載のワイヤレスネットワーク。
【請求項２５】
前記第１のデータフレームの前記パケット長は、前記後続のデータフレームの前記パケット長よりも短い、請求項２４に記載のワイヤレスネットワーク。
【請求項２６】
前記プロセッサは、前記第１のＰＨＹデータレートおよび前記第１の送信電力で、データフレーム、制御フレームおよび管理フレームのうちの１つ以上を送信するようにさらに動作する、請求項２２に記載のワイヤレスネットワーク。
【請求項２７】
命令を記憶するコンピュータ可読記憶媒体であって、命令が実行されたとき、１つ以上のプロセッサに、
送信パラメータの第１のセットで、送信機から第１のタイプの情報を送信させ、ここにおいて、前記送信パラメータの第１のセットは、第１のＰＨＹデータレートおよび第１の送信電力を含み、
送信パラメータの第２のセットで、前記送信機から第２のタイプの情報を送信させ、ここにおいて、前記送信パラメータの第２のセットは、第２のＰＨＹデータレートおよび第２の送信電力を含み、
送信されるであろう情報の前記タイプの関数として、前記送信パラメータの第１のセットおよび前記送信パラメータの第２のセット間で、スイッチングさせ、
ここにおいて、前記第１のＰＨＹデータレートおよび前記第１の送信電力のうちの１つ以上は、前記第２のＰＨＹデータレートおよび前記第２の送信電力と、それぞれ異なる、コンピュータ可読記憶媒体。
【発明の詳細な説明】
【発明の相互参照】
【０００１】
[0001]本願は、２０１５年４月１６日に出願された米国仮出願番号第６２／１４８，７０４号の利益を主張し、この米国仮出願は、その全体において参照によりここに組み込まれている。
【技術分野】
【０００２】
[0002]本開示は、ワイヤレスネットワークにおける衝突を低減するための技法に関係する。
【背景】
【０００３】
[0003]Ｗｉ−Ｆｉ（登録商標）は、電子デバイスがデータを交換することを許容するワイヤレス無線技術である。ＩＥＥＥ ８０２．１１仕様書によって定義されるように、Ｗｉ−Ｆｉは、「リッスンビフォアトーク（listen before talk）」の原則上で動作する、礼儀正しいプロトコルである。８０２．１１標準規格のうちの１つを実装している局（ＳＴＡ）は、他の送信を感知し、チャネルが「アイドル」と感知されるまで、送信することをバックオフするように、衝突回避（ＣＳＭＡ／ＣＡ）メカニズムを伴うキャリア感知多元接続を使用する。ＣＳＭＡ／ＣＡおよび８０２．１１分散協調機能（ＤＣＦ）の規則に従って、送信することを希望するＳＴＡは、ＤＣＦフレーム間スペース（ＤＩＦＳ）によって定義される時間の期間の間、チャネル上で、先ずリッスンしなくてはならない。ＤＩＦＳ時間期間の持続期間の間に、チャネルが、「アイドル」と感知された場合、ＳＴＡは、他の何れのＳＴＡも送信しておらず、ＳＴＡは、送信を開始できると仮定する。しかしながら、チャネルが、「ビジー」と感知された場合、ＳＴＡは、バックオフし、再び送信することを試みる前に、ランダムバックオフ間隔を待たねばならない。加えて、各送信の後、ＳＴＡは、再び送信する前に、ランダムバックオフ期間を待たねばならない。
【０００４】
[0004]別の局が送信していることを検出することの問題は、Ｗｉ−Ｆｉ局が、送信および受信を同時に行うことは出来ないということである。このことは、ＳＴＡが、衝突が生じている、または生じてきたと決定することを難しくする。補償するために、８０２．１１ ＳＴＡは、ＳＴＡによって送られた送信が、エラー無く生じたということを示す肯定応答（ＡＣＫ）フレームに依存する。ＳＴＡが、所与のタイムアウト期間内に、ＡＣＫフレームを受信していない場合、ＳＴＡは、送信が何らかの理由で失敗し、失敗が、衝突に起因しているかもしれないことを知る。ＳＴＡは、それゆえ、ＡＣＫを待ちながらのタイムアウトに際して、再び送信を試みる前に、ランダムバックオフ間隔の間、バックオフする。
【０００５】
[0005]別の局が送信していることを検出することの別の問題は、Ｗｉ−Ｆｉ局が、衝突を引き起こしている局の無線範囲中には無いかもしれないということである。例えば、局（ＳＴＡ）Ｂが、同一のアクセスポイント（ＡＰ）に送信しているのと同時に、ＳＴＡ Ａは、ＡＰに送信する準備が整い得る。ＳＴＡ Ａが、ＡＰは聞けるが、ＳＴＡ Ｂは聞けないとき、ＳＴＡ Ｂは、「隠れノード」と考えられる。ＳＴＡ Ｂが送信要求（ＲＴＳ）フレームを送信し、ＡＰが応答して送信可（ＣＴＳ）フレームを送信するのを待つことによって、ＲＴＳ／ＣＴＳフレーム交換は、「隠れノード」問題に対処する。ＳＴＡ Ａが、ＳＴＡ ＢからＲＴＳを聞けないとしても、ＳＴＡ Ａは、ＡＰが応答して送信したＣＴＳフレームを聞くことはできるはずである。各ＣＴＳフレームは、ＳＴＡ Ｂが送信している間に、他の局によって使用される、送信をホールドオフする時間値を含む。しかしながら、このアプローチは、データ送信のオーバーヘッドを増加させるので、めったに使用されない。
【概要】
【０００６】
[0006]いくつかの例において、本開示は、ワイヤレスネットワークにおける衝突を低減するための技法を説明する。
【０００７】
[0007]１つの例において、方法は、送信パラメータの第１のセットで、送信機から第１のタイプの情報を送信することと、ここにおいて、送信パラメータの第１のセットは、第１のＰＨＹデータレートおよび第１の送信電力を含み、送信パラメータの第２のセットで、第２のタイプの情報を送信することと、ここにおいて、送信パラメータの第２のセットは、第２のＰＨＹデータレートおよび第２の送信電力を含み、送信されるであろう情報のタイプの関数として、送信パラメータの第１のセットおよび送信パラメータの第２のセット間で、スイッチングすることとを含む。第１のＰＨＹデータレートおよび第１の送信電力のうちの１つ以上は、第２のＰＨＹデータレートおよび第２の送信電力と、それぞれ異なる。
【０００８】
[0008]別の例において、ワイヤレス局は、受信機、送信機、メモリ、およびメモリに接続されたプロセッサを含み、ここにおいて、プロセッサは、メモリから検索されたデータを、第１のデータフレーム（先導部分）および第２のデータフレーム（追従部分）を含んでいる２つ以上のデータフレームに区分することによってと、ここにおいて、第１のデータフレームは、第２のデータフレームよりも小さく、第１のＰＨＹデータレートおよび第１の送信電力で、送信機から第１のデータフレームを送信することによってと、第２のＰＨＹデータレートおよび第２の送信電力で、送信機から第２のデータフレームを送信することによって動作する。第１のＰＨＹデータレートおよび第１の送信電力のうちの１つ以上は、第２のＰＨＹデータレートおよび第２の送信電力と、それぞれ異なる。
【０００９】
[0009]別の例において、ワイヤレスネットワークは、１つ以上の第１のワイヤレス局および第２のワイヤレス局を含む。各第１のワイヤレス局は、受信機および送信機を含む。第２のワイヤレス局は、受信機と、送信機と、メモリと、メモリ、受信機および送信機に接続されたプロセッサとを含む。プロセッサは、メモリから検索されたデータを、第１および第２のデータフレームを含んでいる２つ以上のデータフレームに区分し、ここにおいて、第１のデータフレームは、第２のデータフレームより小さく、第１のＰＨＹデータレートおよび第１の送信電力で、送信機から第１のデータフレームを送信し、第２のＰＨＹデータレートおよび第２の送信電力で、送信機から第２のデータフレームを送信するように動作する。第１のＰＨＹデータレートおよび第１の送信電力のうちの１つ以上は、第２のＰＨＹデータレートおよび第２の送信電力と、それぞれ異なる。
【００１０】
[0010]さらに別の例において、コンピュータ可読記憶媒体は、命令が実行されたとき、１つ以上のプロセッサに、第１のＰＨＹデータレートおよび第１の送信電力で、送信機から第１の送信を送信させ、および、第２のＰＨＹデータレートおよび第２の送信電力で、送信機から後続の送信を送信させる命令を記憶する。第１のＰＨＹデータレートおよび第１の送信電力のうちの１つ以上は、第２のＰＨＹデータレートおよび第２の送信電力と、それぞれ異なる。
【００１１】
[0011]１つ以上の例の詳細は、付随の図面および以下の説明において記載される。他の特徴、目的、および利点は、記述と図面から、および特許請求の範囲から明白であるだろう。
【図面の簡単な説明】
【００１２】
【図１】[0012]図１は、本開示の１つ以上の技法に従う、例となるワイヤレスネットワークの概念的図である。
【図２】[0013]図２は、本開示の１つ以上の技法に従う、例となるワイヤレスネットワークの別の概念的図である。
【図３】[0014]図３は、本開示の１つ以上の技法に従う、例となるワイヤレス局の概念的図である。
【図４】[0015]図４は、本開示の１つ以上の技法に従う、データ送信におけるオーバーヘッドを低減するための例となるアプローチをリストするテーブルである。
【図５】[0016]図５は、本開示の１つ以上の技法に従う、例となるデータ送信である。
【図６】[0017]図６は、本開示の１つ以上の技法に従う、別の例となるデータ送信である。
【図７】[0018]図７は、本開示の１つ以上の技法に従う、別の例となるデータ送信である。
【図８】[0019]図８は、本開示の１つ以上の技法に従う、隠れノードに対する送信パラメータを調整するかを決定するための技法を例証するフローチャートである。
【図９】[0020]図９は、本開示の１つ以上の技法に従う、送信パラメータを調整するための技法を例証するフローチャートである。
【詳細な説明】
【００１３】
[0021]隠れノード問題は、８０２．１１における古典的な問題である。上記で注記されたように、ＲＴＳ／ＣＴＳフレーム交換は、隠れノード問題を低減するために、８０２．１１仕様書において提案された、しかし、各データフレームに対する制御フレーム交換のオーバーヘッドが増加する高コストな１つの方法である。８０２．１１仕様書の２０１２年改訂は、http://standards.ieee.org/getieee802/download/802.11-2012.pdfにおいて、記載されている。仕様書は、（オリジナル８０２．１１仕様書中で定義される）直接シーケンス拡散スペクトル（ＤＳＳＳ）ＰＨＹ、（８０２．１１ａ修正仕様書中で定義される）直交周波数分割多重（ＯＦＤＭ（登録商標））物理（ＰＨＹ）、（８０２．１１ｂ修正仕様書中で定義される）高速レート直接シーケンス拡散スペクトル（ＨＲ／ＤＳＳＳ）ＰＨＹおよび（８０２．１１ｎ修正仕様書中で定義される）高スループット（ＨＴ）ＰＨＹのような、ＰＨＹレイヤを定義する条項を含む。代表的８０２．１１標準規格は、８０２．１１−１９９７、８０２．１１ａ、８０２．１１ｂ、８０２．１１ａｂ、８０２．１１ｃ、８０２．１１ｄ、８０２．１１ｅ、８０２．１１ｆ、８０２．１１ｇ、８０２．１１ｈ、８０２．１１ｊ、８０２．１１ｎ、および８０２．１１ａｃを含む。以下の論述のために、８０２．１１標準規格のうちの１つ以上内で動作するように構築されたデバイスは、８０２．１１標準規格のうちの１つ以上と合致または整合する。
【００１４】
[0022]局（ＳＴＡ）が、８０２．１１仕様書によって許容される最大送信電力以外の送信電力を使用する場合、隠れノードの問題は拡大する。電力を節約するために、８０２．１１仕様書に機能が加えられてきた。これらの機能は、例えば、Ｗｉ−Ｆｉワイヤレス無線技術を使用するバッテリー電源携帯デバイスに関連して使用され得る。そのような「グリーン送信」機能は、８０２．１１仕様書によって許容される最大送信電力の代わりに、特定のレートに適した送信電力を使用することによって、電力を無駄に浪費しない。しかしながら、これらのグリーン送信機能は、ＳＴＡ ＡおよびＢの範囲を、さらに制限し得るので、「隠れノード」問題に確かに貢献する。
【００１５】
[0023]本開示は、同時に、グリーン技術Ｗｉ−Ｆｉ局の実効範囲を増加させながら、ワイヤレスネットワークにおけるオーバーヘッドを低減するためのシステムおよび方法を説明する。１つの例となるアプローチにおいて、ワイヤレスネットワークにおける局から送信された信号は、各局の範囲を増加させるために、送信電力、物理レイヤ（ＰＨＹ）データレートおよび／またはフレームまたはフラグメント長に関して、処理される。いくつかの例において、本開示において論述されたアプローチの１つの利点は、ワイヤレスネットワークにおける隠れノードの数の低減、および隠れノードに起因して必要とされる再送信の低減である。これは、スループットを改善し、局の、およびワイヤレスネットワークの電力消費を低減する。
【００１６】
[0024]１つの例となるアプローチにおいて、範囲を増加させるために、電力送信制御を実行しているＳＴＡは、制御フレームのＰＨＹデータレートを低減する。８０２．１１ａ、ｂ、およびｇは、複数のビットレート（例えば、１Ｍｂｐ、６Ｍｂｐ、５４Ｍｂｐ、等）を有し、データを送出するとき、送信機は、それらから選択できる。例えば、８０２．１１ｂ下での送信機に対するＰＨＹデータレートは、１、２、５．５または１１Ｍｂｐに設定できる。次に、８０２．１１ｂにおいて、例えば、制御フレーム、管理フレーム、または１つ以上のデータフレームの範囲を拡張するために、後続のデータフレームに対して、５．５または１１Ｍｂｐに戻る前に、１Ｍｂｐまたは２Ｍｂｐのようなデータレートを選択するかも知れない。
【００１７】
[0025]１つの例となるアプローチにおいて、デュレーションフィールド！＝０のとき、ＳＴＡ１０Ａは、より大きな（恐らく、最大の）送信電力で、制御フレームを送信し得、または、より低い（恐らく、最低の）ＰＨＹデータレートで制御フレームを送信し得、または両方で、送信し得る。ＩＥＥＥ８０２．１１仕様書は、制御フレームに対するレート選択に関するガイダンスを有する。
【００１８】
[0026]１つの例となるアプローチにおいて、ＳＴＡ１０Ａは、より大きな（恐らく、最大の）送信電力で、管理フレームを送信し得、または、より低い（恐らく、最低の）ＰＨＹデータレートで、制御フレームを送信し得、または両方で、送信し得る。
【００１９】
[0027]１つの例となるアプローチにおいて、データ送信が、デュレーションフィールド！＝０を有し、データ送信が、１より多いデータフレームの送信のための持続期間を含む場合、ＳＴＡ１０Ａは、より大きな（恐らく、最大の）送信電力で、送信の第１の部分（例えば、データフレームのシーケンスからの第１のデータフレーム）を送信し得、または、より低い（恐らく、最低の）ＰＨＹデータレートで、制御フレームを送信し得、または両方で、送信し得る。ＳＴＡ１０Ａが、より低いＰＨＹデータで、データ送信の第１の部分を送信する場合、スループットへのインパクトを低減するために、ＳＴＡ１０Ａはまた、送信の第１の部分（例えば、第１のデータフレーム）の長さをあるサイズに低減し得る。
【００２０】
[0028]いくつかの例となるアプローチにおいて、ＳＴＡは、データレートを減少させるのと同時に、制御フレームに対する送信電力を、通常の送信電力レベルから増加させる。例えば、いくつかの８０２．１１ｂ ＰＣカードは、６つの選択可能な送信電力レベル、１、５、２０、３０、５０および１００ｍＷを提供する。このＰＣカードに対する１つの例となるアプローチにおいて、後続のデータフレームに対する、より小さな送信電力に戻る前に、人は、制御フレーム、管理フレーム、または１つ以上のデータフレームの範囲を拡張するために、送信電力を１００ｍＷに設定し得る。いくつかのＰＣカードにおいて、デフォルト送信電力は、２０ｄＢｍまたは１００ｍＷであるが、人は、その電力を、他の５つのレベルのうちの１つに低減できる。いくつかの例となるアプローチにおいて、介在するパスロスやフェーディングに拘わらず、依然としてパケットの正しい受領を達成する、最低電力レベルを決定することによって、ケースバイケースのベースで、適切な、より小さな電力の、送信電力が決定される。
【００２１】
[0029]ある例となるアプローチにおいて、ＳＴＡ１０Ａは、送信パラメータの第１のセットで、送信機から第１のタイプの情報を送信し、送信パラメータの第２のセットで、第２のタイプの情報を送信し、送信されるであろう情報のタイプの関数として、送信パラメータの第１のセットおよび送信パラメータの第２のセット間でスイッチングする。送信パラメータの第１のセットは、第１のＰＨＹデータレートおよび第１の送信電力を含み、一方、送信パラメータの第２のセットは、第２のＰＨＹデータレートおよび第２の送信電力を含む。第１のＰＨＹデータレートおよび第１の送信電力のうちの１つ以上は、第２のＰＨＹデータレートおよび第２の送信電力と、それぞれ異なる。１つの例となるアプローチにおいて、第１のタイプの情報は、制御フレーム、または管理フレーム、または両方の何れかを含む。１つのそのようなアプローチにおいて、第２のタイプの情報は、送信されるであろうデータを含む。
【００２２】
[0030]別の例となるアプローチにおいて、第１のタイプの情報は、制御フレーム、管理フレーム、およびデータ送信の先導部分を含む。第２のタイプの情報は、送信されるであろうデータの追従部分を含む。１つのそのようなアプローチにおいて、第２のタイプの情報は、送信電力のグリーンレベルで、送信される。
【００２３】
[0031]いくつかの例となる実施形態において、１３ｄＢｍ（２０ｍＷ）の送信電力が、通常のデータトラフィックに対して使用され、一方、１７ｄＢｍ（５０ｍＷ）の送信電力が、制御フレーム、管理フレーム、および第１のデータフレームに対して使用される。いくつかの管轄範囲において、送信電力に関する制限がある。いくつかのそのような管轄範囲において、制御フレーム、管理フレーム、および第１のデータフレームに対する送信電力は、管轄範囲最大に設定される。他の電力レベルは、必要に応じ選択できる。
【００２４】
[0032]１つの例となるアプローチにおいて、ＳＴＡは、第１のフラグメントのＰＨＹデータレートを低減しつつ、データパケットの第１のフラグメントを短くする。いくつかのそのようなアプローチにおいて、ＳＴＡはまた、引き続くフラグメントに対する送信電力を低下させる前に、第１のフラグメントに対する送信電力を増加させる。
【００２５】
[0033]さらに別の例となるアプローチにおいて、黙示の、または明示的なＢｌｏｃｋ ＡＣＫ（肯定応答）を伴う送信機会（ＴＸＯＰ）を通したデータ送信に対して、ＳＴＡは、（オーバーヘッドへのインパクトを低減しつつ、範囲を増加させるために）第１のデータフレームのＰＨＹデータレートを、可能な最低データレートに低減しつつ、第１のデータフレームを短くする。いくつかのそのような例となるアプローチにおいて、ＳＴＡは、第１のデータフレームの送信の間に、電力も同様に増加させる。明示的なＢｌｏｃｋ ＡＣＫケースにおける、いくつかのそのような例となるアプローチにおいて、範囲を増加させるために、ＳＴＡは、ＰＨＹデータレートを、可能な最低データレートに低減する。いくつかのそのような例となるアプローチにおいて、ＳＴＡは、電力も同様に増加させる。１つの例となるアプローチにおいて、第１の送信の範囲を増加させるために、第１の送信に関連付けられた第１のＰＨＹデータレートおよび第１の送信電力のうちの１つ以上は、第２の送信に関連付けられた第２のＰＨＹデータレートおよび第２の送信電力と、それぞれ異なる。
【００２６】
[0034]さらに別の例となるアプローチにおいて、集約されたメディアアクセス制御（ＭＡＣ）プロトコルデータユニット（Ａ−ＭＰＤＵ）に対して、ＳＴＡは、（オーバーヘッドへのインパクトを低減しつつ範囲を増加させるために）第１のＡ−ＭＰＤＵサブフレームのＰＨＹデータレートを、可能な最低データレートに低減しつつ、第１のＡ−ＭＰＤＵサブフレームを最小値に短くする。そのようなアプローチのいくつかの例において、ＳＴＡは、第１のＡ−ＭＰＤＵサブフレームの送信の最中に、電力も同様に増加させる。他のそのような例となるアプローチにおいて、ＳＴＡは、明示的なＢｌｏｃｋ ＡＣＫフレームに対する送信も同様に増加させる。
【００２７】
[0035]例となるワイヤレスネットワーク２が、図１中に指し示されている。図１の例となるワイヤレスネットワーク２は、基本サービスセット（ＢＳＳ）の例、８０２．１１ワイヤレスＬＡＮの基本構築ブロックである。各ＢＳＳは、単一のアクセスポイントと共に、その関連する局の全てを含む。
【００２８】
[0036]図１の例となるワイヤレスネットワークにおいて、ＢＳＳ中で、Ｗｉ−Ｆｉ接続１２Ａ、１２Ｂ、１２Ｃ（集合的に、接続１２）を介して、複数の局１０が、アクセスポイント８に接続される。局１０Ａは、例えば、Ｗｉ−Ｆｉ接続１２Ａを介して、アクセスポイント８に接続され、一方、局１０Ｂは、Ｗｉ−Ｆｉ接続１２Ｂを介して、アクセスポイント８に接続され、局１０Ｃは、Ｗｉ−Ｆｉ接続１２Ｃを介して、アクセスポイント８に接続される。Ｗｉ−Ｆｉ接続１２は、８０２．１１標準規格のうちの１つ以上を介して実装される。
【００２９】
[0037]別の例となるワイヤレスネットワーク２が、図２中に指し示されている。図２の例となるワイヤレスネットワーク２は、独立の基本サービスセット（ＩＢＳＳ）の例であり、そこでは、制御するアクセスポイント８は無い。
【００３０】
[0038]図２の例となるワイヤレスネットワークにおいて、複数の局１０が、Ｗｉ−Ｆｉ接続１２を介して接続される。局１０Ａは、例えば、Ｗｉ−Ｆｉ接続１２Ａを介して局１０Ｄに接続され、一方、局１０Ｂは、Ｗｉ−Ｆｉ接続１２Ｂを介して局１０Ｄに接続され、局１０Ｃは、Ｗｉ−Ｆｉ接続１２Ｃを介して局１０Ｄに接続される。Ｗｉ−Ｆｉ接続１２は、８０２．１１標準規格のうちの１つ以上を介して実装される。
【００３１】
[0039]８０２．１１仕様書によって定義されるように、ＳＴＡ１０Ａ−１０Ｄ（集合的に、ＳＴＡ１０）は、ネットワーク割り当てベクトル（ＮＡＶ）を維持する。Ｗｉ−ＦｉフレームのＭＡＣヘッダ中に存在するデュレーションフィールドに従って、ＳＴＡ１０によって設定されるＮＡＶは、現在の送信の持続期間を特定する。ワイヤレス媒体上でリッスンしているＳＴＡ１０は、ＭＡＣヘッダからデュレーションフィールドを読み取り、ワイヤレス媒体をアクセスする前に、ＳＴＡが、どれほど長く待たなくてはならないかを示すようにそれらのＮＡＶを設定する。それゆえ、ＳＴＡ１０は、送信の間、ビジーであるかを決定するために、繰り返し媒体を感知する必要はない。代わりに、ＳＴＡ１０は、電力節約モードに入り、媒体を再び感知する前に、ＮＡＶがゼロにカウントダウンするのを待つことができる。
【００３２】
[0040]動作において、２つのＳＴＡ１０Ａおよび１０Ｃは、お互いが聞けない場合、お互いから隠される。これは、ＲＳＳ（受信した信号強度）が、それぞれのＳＴＡの受信感度より低く、したがってＰＨＹ−ＣＣＡ．ｉｎｄｉｃａｔｅ（ＩＤＬＥ）がトリガーされたとき、起き得る。局のＮＡＶがゼロに等しく、ＣＣＡ．ｉｎｄｉｃａｔｅ（ＩＤＬＥ）がトリガーされる場合、ＳＴＡ１０は送信できる。
【００３３】
[0041]１つの例となるアプローチにおいて、ＰＨＹレートＲで送信されたパケットを正しく復号するために、ＳＴＡ１０に対するＲＳＳは、Ｒに対して、＞ＲＳＳＩｍｉｎでなければならず、ここで、ＲＳＳＩｍｉｎ≧受信感度である。
【００３４】
[0042]図３に指し示めされているように、１つの例となる局１０において、局１０は、送信機２０、受信機２２、メモリ２４、およびメモリ２４に接続されたプロセッサ２６を含む。１つの例となるアプローチにおいて、プロセッサ２６は、メモリから検索されたデータを、第１および第２のデータフレームを含んでいる２つ以上のデータフレームに区分し、送信機２０を介して、第１のデータフレームを送信し、および第１のデータフレームを送信した後、送信機２０から、第２のデータフレームを送信するように動作する。いくつかの例となるアプローチにおいて、送信機２０を介して、局１０から送信された信号は、各局の範囲を増加させるために、送信電力、ＰＨＹデータレートおよびフレームまたはフラグメント長に関して、処理される。１つのそのような例となるアプローチにおいて、第１のデータフレームは、第２のデータフレームと比較する場合、より大きな送信電力、より低いＰＨＹデータレート、または両方で、送信される。
【００３５】
[0043]図３中の例となる局１０において、プロセッサ２６は、デジタル信号プロセッサ（ＤＳＰ）のようなプロセッサ、汎用マイクロプロセッサ、特定用途集積回路（ＡＳＩＣ）、フィールドプログラマブルロジックアレイ（ＦＰＧＡ）、または他の等価な集積化されたまたはディスクリート回路から選択され得る。
【００３６】
[0044]１つの例において、ＳＴＡ１０は、送信機２０から、通常のＰＨＹデータレートよりも低いＰＨＹデータレートで、第１のデータフレームを送信する。例えば、８０２．１１ｂシステムにおける通常のＰＨＹレートは、１１Ｍｂｐであり得るが、第１のデータフレームは、１Ｍｂｐまたは２Ｍｂｐで、送信され得る。例えば、第１のデータフレームの後で送信される、後続のデータフレームは、ＳＴＡ１０の送信機２０によって、通常のＰＨＹデータレートで送信される。いくつかのそのような例において、第１のデータフレームはまた、他のデータフレームより大きな送信電力で、ＳＴＡ１０の送信機２０によって送信され、いくつかのそのような例において、より低速なＰＨＹデータレートでの送信のオーバーヘッドを低減するために、第１のデータフレームのサイズは、より小さくされる。最大送信電力および最小データフレームサイズは、種々のアプローチについて、８０２．１１仕様書において定義され、その説明は、参照により本明細書に取り込まれる。
【００３７】
[0045]１つの例となるアプローチにおいて、プロセッサ２６は、メモリから検索されたデータを、第１および第２のデータフレームを含んでいる２つ以上のデータフレームに区分するようにと、ここにおいて、第１のデータフレームは、第２のデータフレームよりも小さく、送信機を介して、第１のデータフレームを送信するようにと、ここにおいて、送信することは、第１のデータフレームに対するＰＨＹデータレートおよび送信電力のうちの１つ以上を選択することを含み、第１のデータフレームを送信した後に、送信機から第２のデータフレームを送信するように、ここにおいて、第２のデータフレームを送信することは、第２のデータフレームに対する、ＰＨＹデータレートおよび送信電力のうちの１つ以上を選択することを含み、動作する。
【００３８】
[0046]１つの例となるアプローチにおいて、ワイヤレスネットワーク２におけるＳＴＡ１０は、電力を無駄に浪費しないように、特定のチャネルに対する、典型的送信電力に比し低減された送信電力で送信する。しかしながら、例えば、知られていないノードが同一の宛先ノードに送信することによる衝突を介して、ＳＴＡが隠れノード問題を検出する場合、ＳＴＡは、隠れノードに到達するように試みるために、後続のフレームの送信電力を増加させることによって、または後続のフレームのＰＨＹデータレートを低減することによって、応答する。ＳＴＡが、その増強された送信を介して、首尾よく隠れノードと通信できた場合、ノードは、もはや隠されていない。このアプローチは、隠れノードを取り扱う際、ＲＴＳ／ＣＴＳの使用の要求条件を解消する。
【００３９】
[0047]制御フレームは、局間のデータフレームの交換を容易化する。いくつかの共通８０２．１１制御フレームは、
肯定応答（ＡＣＫ）フレーム：データフレームを受領後、エラーが発見されない場合、受領局（ＳＴＡ）は、送出局にＡＣＫフレームを送出する。送出局が、所定の時間期間内に、ＡＣＫフレームを受信しない場合、送出局は、フレームを再送出する。  
送信要求（ＲＴＳ）フレーム：ＲＴＳおよびＣＴＳフレームは、隠れ局を有するアクセスポイントに対して、選択的衝突低減スキームを提供する。局は、データフレームを送出する前に要求される２方向のハンドシェイクにおける第１のステップとして、ＲＴＳフレームを送出する。  
送信可（ＣＴＳ）フレーム：局は、ＲＴＳフレームに、ＣＴＳフレームで応答する。ＣＴＳフレームは、要求している局がデータフレームを送信することに対するクリアランスを提供する。ＣＴＳは、要求している局が送信している間、他の全ての局が、送信をホールドオフしなくてはいけない時間値を含めることによって、衝突制御管理を提供する。
【００４０】
[0048]上記で注記されたように、ＲＴＳ／ＣＴＳメカニズムは、過去において、隠れノード問題を克服するために使用されてきた。本開示は、各局１０の範囲を選択的に増加させることによって、大半のケースにおいて、ＲＴＳ／ＣＴＳの使用を回避する。いくつかの例となるアプローチにおいて、特定の送信の送信電力を増加させることによって、範囲は増加される。他の例となるアプローチにおいて、送信される信号のＰＨＹレートを遅くすることによって、範囲は増加される。そして、いくつかのそのような低減されたＰＨＹレートアプローチにおいて、それらの送信に対するＰＨＹレートの低減のオーバーヘッドを低減するために、特定された送信中で転送されるデータの量は減少される（すなわち、低減されたセグメント長）。
【００４１】
[0049]上記で注記されたように、人は、増加された送信電力で、送信の第１のセグメントを送信することによって、送信の第１のセグメントのＰＨＹレートを低減することによって、または送信電力を増加させることと送信の第１のセグメントのＰＨＹレートを減少させることの両方によって、オーバーヘッドを低減できる。人は、送信の第１のセグメントの長さを最小化することによって、より低いＰＨＹレートのオーバーヘッドを低減できる。データ送信におけるオーバーヘッドを低減するための例となるアプローチは、図４中に指し示され、図５−７の図において例証される。
【００４２】
[0050]データ送信の例が、図５中に指し示されている。図５の例において、何らかの隠れノードに到達するための試みにおいて、（図１中のＳＴＡ Ａのような）発信元局は、増加された送信電力で、または低減されたＰＨＹデータレートで、または両方で、データ４０の第１のフラグメントを送信する。いくつかの例となるアプローチにおいて、増加された送信電力は、所定値であり得、それは、隠れノードの位置が知られている場合、隠れノードの位置に基づいて計算され得るか、または、単に、利用可能な最大送信電力であり得る。１つの例となるアプローチにおいて、図４中のケース３１において指し示されるように、ＳＴＡ Ａは、ＳＴＡ Ａの範囲を拡張するために、最大送信電力および、より低いＰＨＹデータレートの両方を使用するが、データ送信が、２つ以上のフラグメントの長さであるときのみである。同時に、ＳＴＡ Ａが、ＰＨＹデータレートを低下させるとき、ＳＴＡ Ａはまた、可能であれば、第１のフラグメントの長さを低減する。
【００４３】
[0051]１つの例となるアプローチにおいて、アクセスポイント８は、局の各々を、局のＢＳＳ中にマッピングし、ＢＳＳ中の他の局１０の各々に、パスロスを送信する。１つのそのような例となるアプローチにおいて、各局１０は、ＢＳＳ中の他の局１０に到達するための送信電力ニーズを計算する。別の例となるアプローチにおいて、計算は、アクセスポイント８によって実行され、各局１０に分散される。いくつかの例となるアプローチにおいて、ＳＴＡ Ａは、隠れノードに到達すべく試みるステップを採るように、特に構成されている場合、または、ＳＴＡ Ａが、隠れノードがあるかも知れないことに気付いてきた場合、ＳＴＡ Ａは、隠れノード」に到達すべく試みるステップのみを採る。これは、例えば、ＳＴＡ ＡがＳＴＡからからの応答を聞くことはできるが、応答に先立つＳＴＡ Ｂからのオリジナルのメッセージを聞けないとき、起き得る。ＡＰはしかし、ＳＴＡ Ｂを聞けない場合、ＳＴＡ Ｂは、「隠れノード」と考えられる。
【００４４】
[0052]図５中に指し示される例において、データ４０の第１のフラグメントの送信には、宛先局１０からのＡＣＫ４２の受信が続く。１つの例となるアプローチにおいて、発信元局が１より多いフラグメントを送信していることを、宛先局が知っている場合、（例えば、送信電力を増加させること、ＰＨＹデータレートを減少させること、または両方により）増加された範囲で、宛先局１０によって、ＡＣＫが送信される。いくつかのそのような例において、宛先局が、発信元局から隠された局があり得ることに気付いる、または疑念を持つ場合にのみ、宛先局による、より大きな送信電力または低減されたＰＨＹデータレート、または両方での、ＡＣＫの送信が起きるように宛先局は構成され得る。
【００４５】
[0053]図４のケース３１において指し示されるように、１つのアプローチにおいて、第１のデータフラグメント４０およびＡＣＫ４２の両方は、最大送信電力レベルおよび、より低いＰＨＹデータレートで送信される。後続のデータ送信４４およびＡＣＫ４６は、状況に対する送信電力およびＰＨＹデータレートのための典型的パラメータで送信される。
【００４６】
[0054]図４中に指し示される例となるアプローチにおいて、ケース３１で、より低いＰＨＹデータレートが、第１のデータフラグメントに対して使用されるとき、より低速なデータレートのスループットへのインパクトを低減するために、短くされたパケット長も同様に使用される。最大送信電力を使用することは、信号が最も大きく送信されることを保証し、より低速なＰＨＹデータレートが、信号がさらに遠くまで行くことを保証し、より短いパケット長は、スループットへのインパクトが最小化されることを保証する。
【００４７】
[0055]ワイヤレスネットワーク２における他の局は、図５において指し示されるように、発信元局１０から受信したデータを伴うＮＡＶ４８、宛先からのＡＣＫを伴って送信されたＮＡＶ５０、または、ＮＡＶ４８およびＮＡＶ５０の両方を受信し、送信を回避する。この例において、発信元局による後続のデータの送信、および宛先局による後続のＡＣＫの送信は、典型的送信パラメータで、生じる。
【００４８】
[0056]図５中に指し示される例において、ＤＣＦフレーム間スペース（ＤＩＦＳ）５２は、各ＳＴＡに対する、バックオフ時間を確立する持続期間を含む。いくつかの例となるアプローチにおいて、ＤＩＦＳ持続期間の間、ＳＴＡは、その送信を延期する。競合ウィンドウ５４は、送信の間、２つ以上のＳＴＡが衝突し得る時間の期間を指し示す。ＳＩＦＳ５１およびＤＩＦＳ５２は、上記で定義された通りである。ＳＩＦＳ５１は、ワイヤレスインターフェースが、受信したフレームを処理し、応答フレームで応答するために要求される、マイクロ秒での時間の量である。
【００４９】
[0057]１つの例となるアプローチにおいて、発信元局１０は、第１のデータフラグメント４０に対して、可能な最大許容送信電力を使用し、一方、宛先局１０は、ＡＣＫ４２に対して、可能な最大許容送信電力を使用する。いくつかのそのような例となるアプローチにおいて、より低いＰＨＹデータレートが、各々に対して、同様に使用される。そうであれば、データフラグメント４０のデータフレーム長も同様に低減される。
【００５０】
[0058]常に、許容された最大電力レベル、または許容可能な最低速のデータレートに直接移動する必要がある訳ではない。いくつかの例となるアプローチにおいて、データ送信に対して使用される電力レベルよりも大きいが、仕様書によって、または規則によってデバイスに許容される最大電力レベルよりは小さい送信電力が選択される。いくつかのそのようなアプローチにおいて、送信電力は、疑念を持たれた隠れノードが見つけ出されるまで、必要となるように漸増される。同様に、人は、データ送信のために使用されるデータレートと、仕様書または規則によってデバイスに利用可能な最低データレートとの間のデータレートまで、移動することができるであろう、あるいは必要となるように漸減されるであろう。
【００５１】
[0059]１つの例となるアプローチにおいて、各局（ＳＴＡ）送信機は、８０２．１１標準規格と整合する複数の送信電力で、送信することができる。１つのそのような例となるアプローチにおいて、第１の送信電力は、複数の送信電力のうちの最大送信電力である。
【００５２】
[0060]１つの例となるアプローチにおいて、各局（ＳＴＡ）送信機は、８０２．１１標準規格と整合する複数のＰＨＹデータレートで送信することが可能である。１つのそのような例となるアプローチにおいて、第１のＰＨＹデータレートは、複数の利用可能なＰＨＹデータレートのうちの最低速ＰＨＹデータレートである。
【００５３】
[0061]結果は、発信元局１０および宛先局１０の初期送信が、大きな音（すなわち、大きな送信電力）または、長い（すなわち、より低速なデータレート）の何れか、または両方であり、いくつかのケースにおいて、低減されたＰＨＹデータレートのオーバーヘッドを低減するために、低減されたセグメント長を有する。
【００５４】
[0062]図４中のケース３２において指し示されるように、ＳＴＡ Ａによって送信されるフラグメントの数が１よりも大きい場合、ＳＴＡ Ａは、増加された送信電力、より低いＰＨＹデータレート、または両方で、送信するのみである。さもなくば、その８０２．１１に対する典型的な電力およびＰＨＹデータレートのアプローチが使用される。
【００５５】
[0063]また、図４中のケース３２において指し示されるように、いくつかの例となるアプローチにおいて、デュレーションフィールドがゼロより大きい場合、ＳＴＡ Ａは、ＡＣＫを、増加された送信電力、より低いＰＨＹデータレート、または両方で、送信するのみである。さもなくば、ＡＣＫを送信するために、デフォルト電力およびＰＨＹデータレートが、ＳＴＡ Ａによって使用される。１つの例において、非クオリティーオブサービス（非ＱｏＳ）ＳＴＡによって送出されるＡＣＫフレームに対して、直前に個別にアドレスされたデータまたは管理フレームのフレーム制御フィールドにおいて、継続フラグメントビット（More Fragment Bit）が、ゼロに等しい場合、持続期間値は、ゼロに設定される。非ＱｏＳ ＳＴＡによって送られた他のＡＣＫフレームにおいて、持続期間値は、直前のデータのデュレーション／ＩＤフィールド、管理、ＰＳ−Ｐｏｌｌ、ＢｌｏｃｋＡｃｋＲｅｑ、または、ＢｌｏｃｋＡｃｋフレーム引く、ＡＣＫフレームおよびその短いフレーム間スペース（ＳＩＦＳ）間隔を送信するために要求されるマイクロ秒での時間、から取得される値である。計算された持続期間が、端数のマイクロ秒を含む場合、値は、次に大きな整数に丸められる。１つの例となるアプローチにおいて、ＳＩＦＳは、ワイヤレスインターフェースが、受信したフレームを処理し、応答フレームで応答するために要求される、マイクロ秒での時間である。
【００５６】
[0064]１つの例となるアプローチにおいて、発信元局は、送信されるであろうデータが、複数のフラグメントを含むことを示すために使用される、パラメータを有するフレーム制御フィールドを検査する。フレーム制御フィールドを検査するに際して、送信されるであろうデータが、複数のフラグメントを含むことをパラメータが示す場合、発信元局は、複数のフラグメントから第１のフラグメントを選択し、送信パラメータの第１のセットを使用して、第１のフラグメントを送信する。次に、発信元局は、送信パラメータの修正されたセットを形成するために、送信パラメータの第１のセットにおける送信パラメータのうちの１つ以上を修正し、送信パラメータの修正されたセットを使用して、複数のフラグメントの第２のフラグメントを送信する。
【００５７】
[0065]１つの例となるアプローチにおいて、修正された送信パラメータのうちの１つは、第２のＰＨＹデータレートであり、ここにおいて、第２のＰＨＹデータレートは、第１のＰＨＹデータレートよりも、より高速である。１つの例となるアプローチにおいて、第１のフラグメントのセグメント長は、第２のフラグメントのセグメント長よりも短い。１つの例となるアプローチにおいて、修正された送信パラメータの１つは、第２の送信電力であり、ここにおいて、第２の送信電力は、第１の送信電力よりも小さい。
【００５８】
[0066]図５における例はまた、送信機会（ＴＸＯＰ）期間の最中の、データフレームの送信に適用する。ＳＴＡが、普通のデータフレームを送信している場合、パケット中の第１のデータフレームは、増加された送信電力または低減されたＰＨＹデータレート、または両方の何れかで送られる。図４のケース３３において指し示される例において、局１０は、最大送信電力および、より低いＰＨＹデータレートの両方および低減されたパケット長で、第１のデータフレームを送信する。後続のパケットは、典型的な送信電力およびＰＨＹデータレートで、ＳＴＡ１０によって送信される。
【００５９】
[0067]図４および図５中のケース３３において指し示されるように、１つの例となるアプローチにおいて、１つ以上のデータパケットの送信に対して、ＳＴＡ Ａの範囲を拡張するために、ＳＴＡ Ａは、最大送信電力およびより低いＰＨＹデータレートの両方を使用する。同時に、いくつかのそのような例となるアプローチにおいて、ＳＴＡ Ａが、ＰＨＹデータレートを低くするとき、ＳＴＡ Ａはまた、第１のデータパケットの長さを、可能であれば、低減する。１つのそのような例となるアプローチにおいて、第１のデータパケットは、特定の用途のための仕様書によって定義される最小長さに設定され、仕様書によって、または規則によって、デバイスにより許容される最低データレートで、送信される。後続のデータパケットは、ＳＴＡ１０によって、典型的なフラグメント長、送信電力およびＰＨＹデータレートで送信される。
【００６０】
[0068]図４のケース３３において指し示されるように、いくつかの例となるアプローチにおいて、第１のデータフレームに応答して、ＡＣＫを送出した宛先ＳＴＡはまた、デュレーションフィールドが、ゼロよりも大きいとき、増加された送信電力で送出し得る。１つのアプローチにおいて、第１のデータフレームおよびＡＣＫは、仕様書によって、または規則によって、デバイスにより許容される最大送信電力レベルで、送出される。１つのアプローチにおいて、第１のデータフレームおよび第１のＡＣＫの両方は、可能な最低ＰＨＹデータレートで、送信され、後続の送信に対して、両方は、典型的な設定に戻る。また、図４中のケース３３において指し示されるように、デュレーションフィールドが、ゼロよりも大きい場合、ＳＴＡ Ａは、増加された送信電力、より低いＰＨＹデータレート、または、両方で、ＡＣＫを送信するのみである。さもなくば、ＳＴＡ Ａは、典型的な送信電力およびＰＨＹデータレートに戻る。
【００６１】
[0069]いくつかの例となるアプローチにおいて、ＳＴＡ Ａは、低減されたＰＨＹデータレートが使用されるとき、送信の前に、送信される第１のデータフレームを、最小フレームサイズに低減する。他の例となるアプローチにおいて、低減されたＰＨＹデータレートで送信するとき、ＳＴＡ Ａは、第１のデータフレームを、デフォルトフレームサイズよりは小さいが、仕様書によって、または規則によってデバイスにより定義される最小フレームサイズよりは大きいフレームサイズに低減する。
【００６２】
[0070]１つの例となるアプローチにおいて、発信元局１０は、第１のデータフレーム４０に対して可能な最大送信電力を使用し、一方、宛先局１０は、ＡＣＫ４２に対して可能な最大送信電力を使用する。いくつかのそのような例となるアプローチにおいて、より低いＰＨＹデータレートが、各々に対して同様に使用される。より低いデータレートが使用される場合、いくつかの例において、より低いデータレートで送信されたデータフレーム４０のデータフレーム長も同様に低減される。
【００６３】
[0071]本開示に従う、データ送信の別の例は、図６中に指し示されている。図６の例において、発信元局１０は、ブロック肯定応答（ＢＬＯＣＫ ＡＣＫまたはＢＡＣＫ）下で、複数のデータフレームを転送している。図６において見ることができるように、データフレーム６０、６２および６４は、発信元局１０によって送信され、宛先局１０によって受信される。ブロック肯定応答は、ＢＬＯＣＫ ＡＣＫ６８を介して、ＴＸＯＰの全体が、（宛先局１０による、ブロック肯定応答要求（ＢＬＯＣＫ ＡＣＫ ＲＥＱ６６）受領に引き続き）単一フレームで肯定応答されるように使用される。
【００６４】
[0072]もう一度、発信元局１０は、隠れノードに到達するための試みにおいて、増加された送信電力で、または低減されたＰＨＹレートで、または両方で、第１のデータフレーム６０を送信する。増加された送信電力は、所定値であり得、それは、隠れノードの位置が知られている場合、隠れノードの位置に基づいて計算され得るか、または、単に、利用可能な最大送信電力であり得る。１つの例となるアプローチにおいて、アクセスポイント８は、局の各々を、局のＢＳＳ中にマッピングし、ＢＳＳ中の他の局１０の各々に、パスロスを表わす値を送信する。１つのそのような例となるアプローチにおいて、各局１０は、各局１０は、ＢＳＳ中の他の局１０に到達するための送信電力ニーズを計算する。別の例となるアプローチにおいて、計算は、アクセスポイント８によって実行され、各局１０に分散される。
【００６５】
[0073]図６において指し示される例において、第１のデータフレーム６０の送信は、上記図５の例におけるように、ＡＣＫの受領が直後に続かない。代わりに、ＢＬＯＣＫ ＡＣＫ ＲＥＱが、ＴＸＯＰの終わりにおいて送信され、宛先は、適切なとき、ＢＬＯＣＫ ＡＣＫで応答する。１つの例となるアプローチにおいて、図４中のケース３４において指し示されるように、データ６０が、ゼロに等しくないデュレーションフィールドで送出された場合、ＢＬＯＣＫ ＡＣＫ６８は、より大きな送信電力または低減されたＰＨＹデータレート、または両方で送出される。
【００６６】
[0074]いくつかの例において、宛先局が、発信元局から隠された局があり得ることに気付いた、または疑念を持つ場合にのみ、宛先局による、より大きな送信電力または低減されたＰＨＹデータレート、または両方での、ＢＬＯＣＫ ＡＣＫの送信が起きる。しかしながら、１つのアプローチにおいて、図４中のケース３４において指し示されるように、第１のデータフレーム６０および第１のＢＬＯＣＫ ＡＣＫ６８の両方は、最大送信電力レベルで、および、より低いデータレート、すなわち、通常のデータレートよりも低いデータレートで送信される。別のアプローチにおいて、第１のデータフレーム６０およびＢＬＯＣＫ ＡＣＫ６８の両方は、最大送信電力または可能な最低ＰＨＹデータレートのうちの１つで送信される。１つのそのようなアプローチにおいて、ＳＩＦＳ５１およびＤＩＦＳ５２は、上記で定義された通りである。
【００６７】
[0075]ワイヤレスネットワーク２における他の局は、図６において指し示されるように、発信元局１０から受信したデータを伴うＮＡＶ７０、またはＢＬＯＣＫ ＡＣＫ ＲＥＱ６６を伴って送信されたＮＡＶ７２を受信し、送信を回避する。いくつかの例において、発信元局によるデータフレームの後続の送信は、通常の送信パラメータで生じる。
【００６８】
[0076]図４中のケース３４において指し示されるように、１つの例となるアプローチにおいて、発信元局１０は、第１のデータフレーム６０およびＢＬＯＣＫ ＡＣＫ ＲＥＱ６６に対して、可能な最大送信電力を使用し、一方、宛先局１０は、ＢＬＯＣＫ ＡＣＫ６８に対して、可能な最大送信電力を使用するが、ヘッダにおけるデュレーションフィールドが、ゼロで無いときのみである。図４のケース３４において指し示されるように、いくつかのそのような例となるアプローチにおいて、より低いＰＨＹデータレートが、第１のデータフレーム、例えば、データフレーム６０、およびＢＬＯＣＫ ＡＣＫ、例えば、ＢＡＣＫ６８の両方にも同様に使用される。この例において、データフレーム６０のデータフレーム長も同様に低減され得る。
【００６９】
[0077]結果は、発信元局１０および宛先局１０の初期の送信が、大きいか、長いか、または両方の何れかであり、いくつかのケースにおいて、低減されたＰＨＹデータレートのオーバーヘッドを低減するために、低減されたセグメント長を有することである。
【００７０】
[0078]黙示のブロック肯定応答を伴うＡ−ＭＰＤＵの例が、図７中に指し示されている。同一の例が、黙示のブロック肯定応答を伴うＴＸＯＰに適用される。図７において見ることができるように、Ａ−ＭＰＤＵサブフレーム８０および８４は、それぞれ、ＢＬＯＣＫ ＡＣＫ８２および８６で、肯定応答される。ＳＩＦＳ５１およびＤＩＦＳ５２は、上記で定義された通りである。
【００７１】
[0079]発信元局１０は、隠れノードに到達するための試みにおいて、増加された送信電力で、または低減されたＰＨＹデータレートで、または両方で、サブフレーム８０を送信する。増加された送信電力は、所定値であり得、それは、隠れノードの位置が知られている場合、隠れノードの位置に基づいて計算され得るか、または、単に、利用可能な最大送信電力であり得る。
【００７２】
[0080]図８において指し示される例において、サブフレーム８０の送信に、宛先局によるＢＬＯＣＫ ＡＣＫ８２の送信が続く。１つの例となるアプローチにおいて、サブフレーム８０が、ゼロに等しくないデュレーションフィールドで送出される場合、ＢＬＯＣＫ ＡＣＫ８２は、増加された範囲（すなわち、より大きな送信電力、より低いデータレート、または両方）で送られる。
【００７３】
[0081]いくつかの例において、発信元局から隠された局があり得ることに、宛先局が気付いている、または疑念を持つ場合にのみ、宛先局による、より大きな送信電力または低減されたＰＨＹデータレート、または両方での、ＢＬＯＣＫ ＡＣＫの送信が起きるように宛先局は構成される。しかしながら、１つのアプローチにおいて、第１のサブフレーム８０および第１のＢＬＯＣＫ ＡＣＫ８２の両方は、発信元局および宛先局によって、それぞれ、最大送信電力レベルで送信される。別のアプローチにおいて、第１のサブフレーム８０および第１のＢＬＯＣＫ ＡＣＫ８２の両方は、発信元局および宛先局によって、それぞれ、可能な最低ＰＨＹデータレートで送信される。
【００７４】
[0082]ワイヤレスネットワーク２における他の局は、図７において指し示されるように、発信元局１０から受信したデータを伴うＮＡＶ（Ａ−ＭＰＤＵ）８８、またはＢＬＯＣＫ ＡＣＫ８２を伴って送信されたＮＡＶ（Ａ−ＭＰＤＵ）９０を受信し、送信を回避する。いくつかの例において、発信元局によるサブフレームおよび宛先局によるＢＬＯＣＫ ＡＣＫの後続の送信は、データ送信のための通常の送信パラメータで生じる。
【００７５】
[0083]図４のケース３６において指し示されるように、１つの例となるアプローチにおいて、発信元局１０は、サブフレーム８０に対して、可能な最大送信電力を使用し、一方、宛先局１０は、ＢＬＯＣＫ ＡＣＫ８２に対して、可能な最大送信電力を使用する。いくつかのそのような例となるアプローチにおいて、図４のケース３６において指し示されるように、より低いＰＨＹデータレートが、各々に同様に使用される。そうである場合、サブフレーム８０のデータフレーム長も同様に低減される。
【００７６】
[0084]図４のケース３５において指し示されるように、黙示のＢＬＯＣＫ ＡＣＫを伴うＴＸＯＰに対して、同一のアプローチが使用できる。動作は、図７について論述されたＡ−ＭＰＤＵケースと同様である。
【００７７】
[0085]図４のケース３５において指し示されるように、１つの例となるアプローチにおいて、デュレーションフィールドが、ゼロに等しくないとき、発信元局１０は、第１のデータパケットに対して、可能な最大送信電力を使用し、一方、宛先局１０は、対応するＢＬＯＣＫ ＡＣＫに対して、可能な最大送信電力を使用する。いくつかのそのような例となるアプローチにおいて、図４のケース３５において指し示されるように、より低いＰＨＹデータレートが、各々に同様に使用される。そうである場合、第１のデータフレームのデータフレーム長も同様に低減される。
【００７８】
[0086]上記の論述は、隠れノードの取り扱いに対するＲＴＳ／ＣＴＳメカニズムの使用が、選択された送信の送信電力を増加させることによって、あるいは、選択された送信のデータ送信のレートを低減することによって、低減できるか、回避できるかを指し示す。データ送信のレートを低減するケースにおいて、低減されたデータレートで送信される、データフラグメント、データフレームまたはＡ−ＭＰＤＵサブフレームの長さを制限することによって、低減されたデータ送信の増加されたオーバーヘッドが低減できることを指し示す。
【００７９】
[0087]選択された８０２．１１送信の送信パラメータを修正するかを決定するためのフローチャートが、図８中に指し示されている。図８の例において、局１０は、可能性のある隠れノードがあるかを決定する（１００）。これは、例えば、ＳＴＡ Ａが、ＳＴＡからの応答を聞くことはできるが、応答に先立つＳＴＡ Ｂからのオリジナルのメッセージを聞けないとき、起き得る。ＡＰはしかし、ＳＴＡ Ｂを聞けない場合、ＳＴＡ Ｂは、「隠れノード」と考えられる。ＳＴＡ Ｂが、隠れノードである場合、局１０は、ＳＴＡ Ｂへの選択された送信に対して、送信電力を増加、またはＰＨＹデータレートを減少、または両方を行う（１０２）。
【００８０】
[0088]上記で注記されたように、局（ＳＴＡ）が、８０２．１１仕様書によって許容される最大送信電力以外の送信電力を使用する場合、隠れノードの問題は拡大する。電力を節約するために、８０２．１１仕様書に機能が加えられてきた。これらの機能は、例えば、Ｗｉ−Ｆｉワイヤレス無線技術を使用するバッテリー電源携帯デバイスに関連して使用され得る。そのような「グリーン送信」機能は、８０２．１１仕様書によって許容される最大送信電力の代わりに、特定のデータレートに適した送信電力を使用することによって、電力を無駄に浪費しない。しかしながら、これらのグリーン送信機能は、ＳＴＡ ＡおよびＢの範囲を、さらに制限し得るので、「隠れノード」問題に確かに貢献する。
【００８１】
[0089]この問題への１つの例となるアプローチは、隠れノードを検出しようと試みないことである。代わりに、各局は、グリーン送信標準規格に合致するのに必要な送信パラメータに戻る前に、より大きな送信電力、より低いＰＨＹデータレートまたは両方で、送信の初期セグメントを送信する。１つのそのようなアプローチが、図９中に指し示されている。図９は、本開示の１つ以上の例に従って、送信パラメータを調整するための技法を例証しているフローチャートである。図９の例となるアプローチにおいて、送信の第１の部分に対して、より大きな送信電力、より低いＰＨＹデータレート、または両方が使用される（２００）。１つのそのような例となるアプローチにおいて、より大きな送信電力、より低いＰＨＹデータレートまたは両方で、各肯定応答もまた送信される。
【００８２】
[0090]図４中のケース３１において指し示される例において、ＳＴＡ Ａは、ＳＴＡ Ａの範囲を拡張するために、最大送信電力および、より低いＰＨＹデータレートのうちの１つ以上を使用するが、データ送信が、２つ以上のフラグメントの長さであるときのみである。同時に、ＳＴＡ Ａが、ＰＨＹデータレートを低くするとき、ＳＴＡ Ａはまた、可能であれば、第１のフラグメントの長さを低減する。後続のフラグメントは、グリーン送信パラメータを使用して送出される（２０２）。新規の送信が検出されたとき（２０４）、局１０は、より大きな送信電力、より低いＰＨＹデータレートまたは両方に戻る（２００）。
【００８３】
[0091]図４中のケース３２において指し示される例において、ＳＴＡ Ａによって送信されたフラグメントの数が、１よりも大きい場合、ＳＴＡ Ａは、増加された送信電力、より低いＰＨＹデータレート、または両方でのみ送信する。さもなくば、その８０２．１１に対する典型的な、グリーン電力およびＰＨＹデータレートのアプローチが使用される。
【００８４】
[0092]図４のケース３３において指し示される例において、局１０は、送信の第１のセグメントに対して、増加された送信電力、より低いＰＨＹデータレート、または両方で、第１のデータフレームを送信する。いくつかのそのようなアプローチにおいて、ＳＴＡ Ａは、パケット長も同様に低減する。新規の送信が送出されるべきかを見るために、チェックがなされる（２０４）前に、その第１の送信内の後続のパケットは、ＳＴＡ１０によって、グリーン送信電力およびＰＨＹデータレートで、送信される（２０２）。いくつかの例となるアプローチにおいて、宛先局は、増加された送信電力、より低いＰＨＹデータレート、または両方で、各ＡＣＫも同様に送信する。再び、発信元局は、より低いデータレートに起因するオーバーヘッドを低減するために、第１のパケットの長さを低減し得る。
【００８５】
[0093]図４のケース３４において指し示された例において、局１０は、送信の第１のセグメントに対して、増加された送信電力、より低いＰＨＹデータレート、または両方で、第１のデータフレームを送信する。いくつかのそのようなアプローチにおいて、ＳＴＡ Ａは、パケット長も同様に低減する。１つ以上の後続のデータフレームは、新規の送信が送られるべきかを見るためにチェックがなされる（２０４）前に、グリーン送信電力およびＰＨＹデータレートで、ＳＴＡ１０によって送信される（２０２）。いくつかの例となるアプローチにおいて、宛先局は、増加された送信電力、より低いＰＨＹデータレート、または両方で、各ＢＬＯＣＫ ＡＣＫも同様に送信する。再び、発信元局は、より低いデータレートに起因するオーバーヘッドを低減するために、第１のパケットの長さを低減し得る。
【００８６】
[0094]図４のケース３５において指し示されるように、１つの例となるアプローチにおいて、デュレーションフィールドがゼロに等しくないとき、発信元局１０は、第１のデータパケットに対して、（例えば、グリーン送信電力レベルよりも大きな）より大きな送信電力を使用し、一方、宛先局１０は、対応するＢＬＯＣＫ ＡＣＫに対して、より大きな送信電力を使用する。図４のケース３５において指し示されるように、いくつかのそのような例となるアプローチにおいて、各送信に対して、より低いＰＨＹデータレートも同様に使用される。そうであれば、第１のデータフレームのデータフレーム長も同様に、低減され得る。後続のデータフレームは、グリーン送信パラメータで、送信される。
【００８７】
[0095]図４のケース３６において指し示されるように、１つの例となるアプローチにおいて、発信元局１０は、サブフレーム８０に対して、より大きな送信電力、より低いＰＨＹデータレート、または両方を使用し、一方、宛先局１０は、ＢＬＯＣＫ ＡＣＫ８２に対して、より大きな送信電力、より低いＰＨＹデータレート、または両方を使用する。図４のケース３６において指し示されるように、いくつかのそのような例となるアプローチにおいて、より低いＰＨＹデータレートが使用される場合、サブフレーム８０のデータフレーム長も同様に、低減され得る。サブフレーム８４のような、後続のサブフレームは、グリーン送信パラメータで送信される。
【００８８】
[0096]本開示は、ワイヤレスネットワークにおけるオーバーヘッドを低減し、一方、同時にグリーン技術Ｗｉ−Ｆｉ局の実効範囲を増加させるためのシステムおよび方法を説明する。１つの例となるアプローチにおいて、ワイヤレスネットワークにおける局から送信された信号は、各局の範囲を増加させるために、送信電力、物理レイヤ（ＰＨＹ）データレートおよび／またはフレームまたはフラグメント長に関して、処理される。いくつかの例において、本開示において論述されたアプローチの１つの利点は、ワイヤレスネットワークにおける隠れノードの数の低減、および隠れノードに起因して必要となる再送信の低減である。これは、スループットを改善し、および／または局のおよびワイヤレスネットワークの電力消費を低減する。
【００８９】
[0097]選択された８０２．１１送信の送信パラメータを修正するかを決定するためのフローチャートが、図８中に指し示されている。図８の例において、局１０は、可能性のある隠れノードがあるかを決定する（１００）。これは、例えば、ＳＴＡ Ａが、ＳＴＡからの応答を聞くことはできるが、応答に先立つＳＴＡ Ｂからのオリジナルのメッセージを聞けないとき、起き得る。ＡＰはしかし、ＳＴＡ Ｂを聞けない場合、ＳＴＡ Ｂは、「隠れノード」と考えられる。ＳＴＡ Ｂが、隠れノードである場合、局１０は、ＳＴＡ Ｂへの選択された送信に対して、送信電力を増加、またはＰＨＹデータレートを減少、または両方を行う（１０２）。
【００９０】
[0098]例に依存して、本明細書において説明される技法のうちの何れかの、ある動作またはイベントも、異なるシーケンスで実行されるか、加えられ得るか、一体化され得るか、または完全に除外され得るかが行われ得る（例えば、全ての説明された動作またはイベントが技法の実施のために必要であるわけではない）。さらに、ある例において、動作またはイベントは、例えば、マルチスレッド処理、割り込み処理、または複数のプロセッサを通して、連続的と言うよりむしろ同時に実行され得る。
【００９１】
[0099]１つ以上の例において、記載された機能は、ハードウェア、ソフトウェア、ファ−ムウェア、またはそれらの任意の組合せで実装され得る。ソフトウェアで実装される場合、機能は、コンピュータ可読媒体上の１つ以上の命令またはコードとして記憶または送信され、およびハードウェアベースの処理ユニットによって実行され得る。コンピュータ可読媒体は、例えば、通信プロトコルにしたがって、コンピュータプログラムの１つの場所から別の場所への移送を容易にする任意の媒体を含む通信媒体、またはデータ記憶媒体のような有体の媒体に対応するコンピュータ可読記憶媒体を含み得る。このように、コンピュータ可読媒体は一般的に、（１）非一時的有体コンピュータ可読記憶媒体、または（２）信号または搬送波のような通信媒体に対応し得る。データ記憶媒体は、本開示に説明された技法の実装のための命令、コード、および／またはデータ構造を検索するために、１つ以上のコンピュータあるいは１つ以上のプロセッサによってアクセスされることができる任意の利用可能な媒体であり得る。コンピュータプログラム製品は、コンピュータ可読媒体を含み得る。
【００９２】
[0100]限定ではなく例として、そのようなコンピュータ可読記憶媒体は、ＲＡＭ、ＲＯＭ、ＥＥＰＲＯＭ（登録商標）、ＣＤ−ＲＯＭまたは他の光ディスク記憶媒体、磁気ディスク記憶媒体、または他の磁気記憶デバイス、フラッシュメモリ、あるいは命令あるいはデータ構造の形態で望ましいプログラムコードを記憶するために使用され、コンピュータによってアクセスされることができる任意の他の媒体を備えることができる。また、任意の接続は、コンピュータ可読媒体と適切に呼ばれ得る。例えば、命令が、ウェブサイト、サーバ、あるいは同軸ケーブル、光ファイバケーブル、ツイストペア、デジタル加入者線（ＤＳＬ）、または赤外線、無線、およびマイクロ波のようなワイヤレス技術を使用して、他のリモートソースから送信された場合、同軸ケーブル、光ファイバケーブル、ツイストペア、ＤＳＬ、あるいは赤外線、無線、およびマイクロ波のようなワイヤレス技術は、媒体の定義に含まれる。しかしながら、コンピュータ可読記憶媒体およびデータ記憶媒体は、接続、搬送波、信号、または他の一時的な媒体を含まないが、代わりとして非一時的な有体の記憶媒体を対象にすることは理解されるべきである。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせはまた、コンピュータ可読媒体の範囲に含まれるべきである。
【００９３】
[0101]命令は、１つ以上のデジタルシグナルプロセッサ（ＤＳＰ）、汎用マイクロプロセッサ、特定用途集積回路（ＡＳＩＣ）、フィールドプログラマブルロジックアレイ（ＦＰＧＡ）、または他の同等な集積またはディスクリートロジック回路のような、１つ以上のプロセッサによって実行され得る。したがって、本明細書において使用される用語「プロセッサ」は、前述の構造、またはここに説明された技法の実装に適した任意の他の構造の何れかを指し得る。加えて、いくつかの態様において、本明細書において説明される機能は、符号化および復号のために構成された専用ハードウェアモジュールおよび／またはソフトウェアモジュール内で提供され得るか、または、組み合わされたコーデックに組み込まれ得る。また、技法は、１つ以上の回路または論理エレメントにおいて十分に実装されることができる。
【００９４】
[0102]本開示の技法は、ワイヤレスハンドセット、集積回路（ＩＣ）、またはＩＣのセット（例えば、チップセット）を含む、幅広く様々なデバイスまたは装置に実装され得る。様々なコンポーネント、モジュール、またはユニットは、開示された技法を行うように構成されたデバイスの機能的な態様を強調するために、本開示において説明されているが、異なるハードウェアユニットによる実現を必ずしも必要とするわけではない。むしろ、上述されたように、様々なユニットは、コーデックハードウェアユニットにおいて組み合わされ得るか、または適切なソフトウェアおよび／またはファームウェアとともに、上述された１つ以上のプロセッサを含む、相互動作のハードウェアユニットの集合によって提供され得る。
【００９５】
[0103]様々な例が説明されている。これらの例および他の例は、以下の特許請求の範囲の範囲内にある。
【図１】
2018515020.tif 000003
【図２】
2018515020.tif 000004
【図３】
2018515020.tif 000005
【図４】
2018515020.tif 000006
【図５】
2018515020.tif 000007
【図６】
2018515020.tif 000008
【図７】
2018515020.tif 000009
【図８】
2018515020.tif 000010
【図９】
2018515020.tif 000011
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
ワイヤレスネットワークにおける方法であって、
送信パラメータの第１のセットで、送信機から第１のタイプの情報を送信することと、ここにおいて、前記送信パラメータの第１のセットは、第１のＰＨＹデータレートおよび第１の送信電力を含み、ここにおいて、前記第１のタイプの情報を送信することは、
送信されるであろうデータが複数のフラグメントを含むことを示すために使用されるパラメータを有するフレーム制御フィールドを検査することと、前記パラメータが転送されるであろう前記データが複数のフラグメントを含むことを示す場合、前記複数のフラグメントから第１のフラグメントを選択することと、前記第１のＰＨＹデータレートおよび前記第１の送信電力で、前記第１のフラグメントを送信することとを含み、
送信パラメータの第２のセットで、前記送信機から第２のタイプの情報を送信することと、ここにおいて、前記送信パラメータの第２のセットは、第２のＰＨＹデータレートおよび第２の送信電力を含み、ここにおいて、前記送信機から前記第２のタイプの情報を送信することは、前記第２のＰＨＹデータレートおよび前記第２の送信電力で、第２のフラグメントを送信することを含み、
送信されるであろう情報のタイプの関数として、前記送信パラメータの第１のセットおよび前記送信パラメータの第２のセット間で、スイッチングすることとを備え、
ここにおいて、前記第２のＰＨＹデータレートは、前記第１のＰＨＹデータレートよりも高速であり、前記第１のフラグメントのセグメント長は、前記第２のフラグメントのセグメント長よりも短く、前記第１の送信電力は、前記第２の送信電力よりも大きい、方法。
【請求項２】
前記送信機は、８０２．１１標準規格と整合する複数のＰＨＹデータレートで送信する、ここにおいて、前記第１のＰＨＹデータレートは、前記送信機に利用可能な前記複数のＰＨＹデータレートの最低速ＰＨＹデータレートである、請求項１に記載の方法。
【請求項３】
前記送信機は、８０２．１１標準規格と整合する複数の送信電力で送信する、ここにおいて、前記第１の送信電力は、前記送信機に利用可能な前記複数の送信電力の最大送信電力である、請求項１に記載の方法。
【請求項４】
前記第２のタイプの情報を送信することは、前記第２のＰＨＹデータレートおよび前記第２の送信電力で、複数の第２のフラグメントを送信することをさらに含み、ここにおいて、前記第１のフラグメントのセグメント長は、前記第２のフラグメントの各々のセグメント長よりも短い、請求項１に記載の方法。
【請求項５】
前記第１の送信電力および前記第２の送信電力は、８０２．１１標準規格と整合する送信電力である、請求項４に記載の方法。
【請求項６】
前記第１のＰＨＹデータレートおよび前記第２のＰＨＹデータレートは、８０２．１１標準規格と整合するＰＨＹデータレートである、請求項４に記載の方法。
【請求項７】
前記複数のフラグメントから第１のフラグメントを選択することは、前記第１のフラグメントの送信のオーバーヘッドを低減するために、前記データを区分することを含む、請求項６に記載の方法。
【請求項８】
前記第１の送信電力および前記第２の送信電力は、８０２．１１標準規格と整合する送信電力である、請求項１に記載の方法。
【請求項９】
前記第１のＰＨＹデータレートおよび前記第２のＰＨＹデータレートは、８０２．１１標準規格と整合するＰＨＹデータレートである、請求項１に記載の方法。
【請求項１０】
ワイヤレス局であって、
受信機と、
送信機と、
メモリと、
前記メモリ、前記受信機および前記送信機に接続されたプロセッサとを備え、
ここにおいて、前記プロセッサは、
前記メモリから検索されたデータを、第１のフラグメントおよび第２のフラグメントを含んでいる複数のフラグメントに区分し、
第１のＰＨＹデータレートおよび第１の送信電力で、前記送信機から前記第１のフラグメントを送信し、
第２のＰＨＹデータレートおよび第２の送信電力で、前記送信機から前記第２のフラグメントを送信するように動作し、
ここにおいて、前記第２のＰＨＹデータレートは、前記第１のＰＨＹデータレートよりも高速であり、前記第１のフラグメントのセグメント長は、前記第２のフラグメントのセグメント長よりも短く、前記第１の送信電力は、前記第２の送信電力よりも大きい、ワイヤレス局。
【請求項１１】
前記第１のＰＨＹデータレートおよび前記第２のＰＨＹデータレートは、８０２．１１標準規格と整合するデータレートである、請求項１０に記載のワイヤレス局。
【請求項１２】
前記第１の送信電力および前記第２の送信電力は、８０２．１１標準規格に整合する送信電力である、請求項１０に記載のワイヤレス局。
【請求項１３】
前記複数のフラグメントは、複数の第２のフラグメントを含み、ここにおいて、前記第２のフラグメントの各々は、前記第１のフラグメントのセグメント長よりも大きいセグメント長を有する、請求項１０に記載のワイヤレス局。
【請求項１４】
前記プロセッサは、前記第２のＰＨＹデータレートおよび前記第２の送信電力で、前記複数の第２のフラグメントの各々を送信するようにさらに動作する、請求項１３に記載のワイヤレス局。
【請求項１５】
ワイヤレスネットワークであって、
１つ以上の第１のワイヤレス局と、ここにおいて、各第１のワイヤレス局は、受信機および送信機を含み、
第２のワイヤレス局と、ここにおいて、前記第２のワイヤレス局は、受信機、送信機、メモリ、および、前記メモリ、前記受信機、前記送信機に接続されたプロセッサを含み、を備え、ここにおいて、前記プロセッサは、
前記メモリから検索されたデータを、第１のフラグメントおよび第２のフラグメントを含んでいる複数のフラグメントに区分し、
第１のＰＨＹデータレートおよび第１の送信電力で、前記送信機から前記第１のフラグメントを送信し、
第２のＰＨＹデータレートおよび第２の送信電力で、前記送信機から前記第２のフラグメントを送信するように動作し、
ここにおいて、前記第２のＰＨＹデータレートは、前記第１のＰＨＹデータレートよりも高速であり、前記第１のフラグメントのセグメント長は、前記第２のフラグメントのセグメント長よりも短く、前記第１の送信電力は、前記第２の送信電力よりも大きい、ワイヤレスネットワーク。
【請求項１６】
前記第１の送信電力および前記第２の送信電力は、８０２．１１標準規格に整合する送信電力である、請求項１５に記載のワイヤレスネットワーク。
【請求項１７】
前記第１のＰＨＹデータレートおよび前記第２のＰＨＹデータレートは、８０２．１１標準規格に整合するＰＨＹデータレートである、請求項１５に記載のワイヤレスネットワーク。
【請求項１８】
前記複数のフラグメントは、複数の第２のフラグメントを含み、ここにおいて、前記第２のフラグメントの各々は、前記第１のフラグメントのセグメント長よりも大きいセグメント長を有する、請求項１７に記載のワイヤレスネットワーク。
【請求項１９】
前記プロセッサは、前記第２のＰＨＹデータレートおよび前記第２の送信電力で、前記第２のフラグメントの各々を送信するようにさらに動作する、請求項１５に記載のワイヤレスネットワーク。
【請求項２０】
命令を記憶するコンピュータ可読記憶媒体であって、命令が実行されたとき、１つ以上のプロセッサに、
送信パラメータの第１のセットで、送信機から第１のタイプの情報を送信させ、ここにおいて、前記送信パラメータの第１のセットは、第１のＰＨＹデータレートおよび第１の送信電力を含み、ここにおいて、前記第１のタイプの情報を送信することは、
送信されるであろうデータが複数のフラグメントを含むことを示すために使用されるパラメータを有するフレーム制御フィールドを検査することと、前記パラメータが、転送されるであろう前記データが複数のフラグメントを含むことを示す場合、前記複数のフラグメントから第１のフラグメントを選択することと、前記第１のＰＨＹデータレートおよび前記第１の送信電力で、前記第１のフラグメントを送信することとを含み、
送信パラメータの第２のセットで、前記送信機から第２のタイプの情報を送信させ、ここにおいて、前記送信パラメータの第２のセットは、第２のＰＨＹデータレートおよび第２の送信電力を含み、ここにおいて、前記送信機から前記第２のタイプの情報を送信することは、前記第２のＰＨＹデータレートおよび前記第２の送信電力で、第２のフラグメントを送信することを含み、
送信されるであろう情報の前記タイプの関数として、前記送信パラメータの第１のセットおよび前記送信パラメータの第２のセット間で、スイッチングさせ、
ここにおいて、前記第２のＰＨＹデータレートは、前記第１のＰＨＹデータレートよりも高速であり、前記第１のフラグメントのセグメント長は、前記第２のフラグメントのセグメント長よりも短く、前記第１の送信電力は、前記第２の送信電力よりも大きい、コンピュータ可読記憶媒体。
【手続補正２】
【補正対象書類名】明細書
【補正対象項目名】００９５
【補正方法】変更
【補正の内容】
【００９５】
[0103]様々な例が説明されている。これらの例および他の例は、以下の特許請求の範囲の範囲内にある。
以下に、本出願時の特許請求の範囲に記載された発明を付記する。
［付記１］ワイヤレスネットワークにおける方法であって、
送信パラメータの第１のセットで、送信機から第１のタイプの情報を送信することと、ここにおいて、前記送信パラメータの第１のセットは、第１のＰＨＹデータレートおよび第１の送信電力を含み、
送信パラメータの第２のセットで、前記送信機から第２のタイプの情報を送信することと、ここにおいて、前記送信パラメータの第２のセットは、第２のＰＨＹデータレートおよび第２の送信電力を含み、
送信されるであろう情報のタイプの関数として、前記送信パラメータの第１のセットおよび前記送信パラメータの第２のセット間で、スイッチングすることとを備え、
ここにおいて、前記第１のＰＨＹデータレートおよび前記第１の送信電力のうちの１つ以上は、前記第２のＰＨＹデータレートおよび前記第２の送信電力と、それぞれ異なる、方法。
[付記２]前記第１のＰＨＹデータレートは、前記第２のＰＨＹデータレートよりも低速である、[付記１]に記載の方法。
[付記３]前記第１の送信電力は、前記第２の送信電力よりも大きい、[付記１]に記載の方法。
[付記４]前記第１のタイプの情報は、データフレーム、制御フレーム、および管理フレームのうちの１つ以上を含む、[付記１]に記載の方法。
[付記５]前記送信機は、８０２．１１標準規格と整合する複数のＰＨＹデータレートで送信することができ、ここにおいて、前記第１のＰＨＹデータレートは、前記複数のＰＨＹデータレートの最低速ＰＨＹデータレートである、[付記４]に記載の方法。
[付記６]前記送信機は、８０２．１１標準規格と整合する複数の送信電力で送信することができ、ここにおいて、前記第１の送信電力は、前記複数の送信電力の最大送信電力である、[付記４]に記載の方法。
[付記７]第１のタイプの情報を送信することは、
データを先導部分および追従部分に区分することと、
前記第１のタイプの情報として、前記データの前記先導部分を送信することとを含み、
ここにおいて、前記第２のタイプの情報を送信することは、前記第２のタイプの情報として、前記データの前記追従部分を送信することを含む、[付記４]に記載の方法。
[付記８]前記送信機は、８０２．１１標準規格と整合する複数の送信電力で送信することができ、ここにおいて、前記第１の送信電力は、前記複数の送信電力のうちの、前記第２の送信電力より大きな送信電力にある、[付記７]に記載の方法。
[付記９]前記送信機は、８０２．１１標準規格と整合する複数のＰＨＹデータレートで送信することができ、ここにおいて、前記第１のＰＨＹデータレートは、前記複数のＰＨＹデータレートのうちの、前記第２のＰＨＹデータレートより低いＰＨＹデータレートにある、[付記７]に記載の方法。
[付記１０]データを先導部分および追従部分に区分することは、前記先導部分の送信のオーバーヘッドを低減するために、前記データを区分することを含む、[付記９]に記載の方法。
[付記１１]前記送信機は、８０２．１１標準規格と整合する複数の送信電力で送信することができ、ここにおいて、前記第１の送信電力は、前記複数の送信電力のうちの、前記第２の送信電力より大きな送信電力にある、[付記１]に記載の方法。
[付記１２]前記送信機は、８０２．１１標準規格と整合する複数のＰＨＹデータレートで送信することができ、ここにおいて、前記第１のＰＨＹデータレートは、前記複数のＰＨＹデータレートのうちの、前記第２のＰＨＹデータレートより低いＰＨＹデータレートにある、[付記１]に記載の方法。
[付記１３]前記第１の送信を送信することは、
送信されるであろうデータが複数のフラグメントを含むことを示すために使用されるパラメータを有するフレーム制御フィールドを検査することと、
前記パラメータが、転送されるであろう前記データが複数のフラグメントを含むことを示す場合、
前記複数のフラグメントから第１のフラグメントを選択することと、
前記第１のＰＨＹデータレートおよび前記第１の送信電力で、前記第１のフラグメントを送信することととを含み、
ここにおいて、前記送信機から前記第２の送信を送信することは、前記第２のＰＨＹデータレートおよび前記第２の送信電力で、前記第２のフラグメントを送信することを含む、[付記１]に記載の方法。
[付記１４]前記第２のＰＨＹデータレートは、前記第１のＰＨＹデータレートよりも高速である、[付記１３]に記載の方法。
[付記１５]前記第１のフラグメントの前記セグメント長は、前記第２のフラグメントの前記セグメント長よりも短い、[付記１４]に記載の方法。
[付記１６]前記第１のフラグメントに対する前記送信電力は、前記第２のフラグメントに対する前記送信電力よりも大きい、[付記１５]に記載の方法。
[付記１７]ワイヤレス局であって、
受信機と、
送信機と、
メモリと、
前記メモリ、前記受信機および前記送信機に接続されたプロセッサとを備え、
ここにおいて、前記プロセッサは、
前記メモリから検索されたデータを、第１および第２のデータフレームを含んでいる２つ以上のデータフレームに区分し、
第１のＰＨＹデータレートおよび第１の送信電力で、前記送信機から前記第１のデータフレームを送信し、
第２のＰＨＹデータレートおよび第２の送信電力で、前記送信機から前記第２のデータフレームを送信するように動作し、
ここにおいて、前記第１のＰＨＹデータレートおよび前記第１の送信電力のうちの１つ以上は、前記第２のＰＨＹデータレートおよび前記第２の送信電力と、それぞれ異なる、ワイヤレス局。
[付記１８]前記第１のＰＨＹデータレートおよび前記第２のＰＨＹデータレートは、８０２．１１標準規格と整合するデータレートであり、ここにおいて、前記第１のＰＨＹデータレートは、前記第２のＰＨＹデータレートよりも低い、[付記１７]に記載のワイヤレス局。
[付記１９]前記第１の送信電力および前記第２の送信電力は、８０２．１１標準規格に整合する送信電力であり、ここにおいて、前記第１の送信電力は、前記第２の送信電力よりも大きい、[付記１７]に記載のワイヤレス局。
[付記２０]前記第１のデータフレームのセグメント長は、前記第２のデータフレームのセグメント長よりも短い、[付記１７]に記載のワイヤレス局。
[付記２１]前記プロセッサは、前記第１のＰＨＹデータレートおよび前記第１の送信電力で、制御フレームおよび管理フレームのうちの１つ以上を送信するようにさらに動作する、[付記１７]に記載のワイヤレス局。
[付記２２]ワイヤレスネットワークであって、
１つ以上の第１のワイヤレス局と、ここにおいて、各第１のワイヤレス局は、受信機および送信機を含み、
第２のワイヤレス局と、ここにおいて、前記第２のワイヤレス局は、受信機、送信機、メモリ、および、前記メモリ、前記受信機、前記送信機に接続されたプロセッサを含み、を備え、ここにおいて、前記プロセッサは、
前記メモリから検索されたデータを、第１および第２のデータフレームを含んでいる２つ以上のデータフレームに区分し、
第１のＰＨＹデータレートおよび第１の送信電力で、前記送信機から前記第１のデータフレームを送信し、
第２のＰＨＹデータレートおよび第２の送信電力で、前記送信機から前記第２のデータフレームを送信するように動作し、
ここにおいて、前記第１のＰＨＹデータレートおよび前記第１の送信電力のうちの１つ以上は、前記第２のＰＨＹデータレートおよび前記第２の送信電力と、それぞれ異なる、ワイヤレスネットワーク。
[付記２３]前記第１の送信電力および前記第２の送信電力は、８０２．１１標準規格に整合し、ここにおいて、前記第１の送信電力は、前記第２の送信電力よりも大きい、[付記２２]に記載のワイヤレスネットワーク。
[付記２４]前記第１のＰＨＹデータレートおよび前記第２のＰＨＹデータレートは、８０２．１１標準規格に整合するＰＨＹデータレートであり、ここにおいて、前記第１のＰＨＹデータレートは、前記第２のＰＨＹデータレートよりも低い、[付記２２]に記載のワイヤレスネットワーク。
[付記２５]前記第１のデータフレームの前記パケット長は、前記後続のデータフレームの前記パケット長よりも短い、[付記２４]に記載のワイヤレスネットワーク。
[付記２６]前記プロセッサは、前記第１のＰＨＹデータレートおよび前記第１の送信電力で、データフレーム、制御フレームおよび管理フレームのうちの１つ以上を送信するようにさらに動作する、[付記２２]に記載のワイヤレスネットワーク。
[付記２７]命令を記憶するコンピュータ可読記憶媒体であって、命令が実行されたとき、１つ以上のプロセッサに、
送信パラメータの第１のセットで、送信機から第１のタイプの情報を送信させ、ここにおいて、前記送信パラメータの第１のセットは、第１のＰＨＹデータレートおよび第１の送信電力を含み、
送信パラメータの第２のセットで、前記送信機から第２のタイプの情報を送信させ、ここにおいて、前記送信パラメータの第２のセットは、第２のＰＨＹデータレートおよび第２の送信電力を含み、
送信されるであろう情報の前記タイプの関数として、前記送信パラメータの第１のセットおよび前記送信パラメータの第２のセット間で、スイッチングさせ、
ここにおいて、前記第１のＰＨＹデータレートおよび前記第１の送信電力のうちの１つ以上は、前記第２のＰＨＹデータレートおよび前記第２の送信電力と、それぞれ異なる、コンピュータ可読記憶媒体。
【国際調査報告】
2018515020.tif 000012
2018515020.tif 000013
2018515020.tif 000014